(57)【要約】【課題】  サンプルホールド信号に影響されることなく、より正確に記録情報の同期をとるようにして記録品質を安定させる。【解決手段】  シンクパターンなるデータパターン発生時にブーストレベルを切り替えて通常と異なる発光波形とすると、シンクパターンの記録品質が低下し、記録状態の信頼性が損なわれる可能性があるが、発光パワーをサンプリングし、又は記録媒体からの反射光量をサンプリングするためのサンプルホールド信号の発生タイミングを規定する当該ブーストレベル切り替え信号を、シンクパターンが発生するタイミングを避けて発生させることで、サンプルホールド信号に影響されることなく、シンクパターンの記録品質を維持し、記録データの同期を確実にとることができるようにした。【選択図】    図６
2006127617.tif 000002
【特許請求の範囲】
【請求項１】
記録媒体上に半導体レーザから少なくともバイアスレベルとピークレベルとを含む２値以上のレーザパワーのレーザ光を照射することにより所定の記録変調方式に基づく記録マークとスペースとの組合せによる情報を記録するようにした情報記録方法において、
前記半導体レーザの出力を制御するためにその出力状態をサンプリングするサンプルホールド信号を、特定のデータパターンが発生する期間を避けて発生させるようにした、ことを特徴とする情報記録方法。
【請求項２】
前記サンプルホールド信号は、前記半導体レーザの出力状態のサンプリングとして、その発光パワーをサンプリングするための信号である、ことを特徴とする請求項１記載の情報記録方法。
【請求項３】
前記サンプルホールド信号は、前記半導体レーザの出力状態のサンプリングとして、レーザ光照射により記録された前記記録媒体からの反射光量をサンプリングするための信号である、ことを特徴とする請求項１記載の情報記録方法。
【請求項４】
前記サンプルホールド信号を、前記特定のデータパターンが発生してから所定時間経過後に発生させるようにした、ことを特徴とする請求項１ないし３の何れか一記載の情報記録方法。
【請求項５】
前記特定のデータパターンの発生回数を計数し、計数の結果、当該特定のデータパターンが所定回数以上発生した時点で、前記サンプルホールド信号を発生させるようにした、ことを特徴とする請求項１ないし３の何れか一記載の情報記録方法。
【請求項６】
前記サンプルホールド信号を発生させるタイミングは、対象となる記録データとは無関係なタイミングとなるように設定されている、ことを特徴とする請求項１ないし５の何れか一記載の情報記録方法。
【請求項７】
前記サンプルホールド信号を発生させる期間は、前記所定の記録変調方式における最長データ長より長い期間に設定されている、ことを特徴とする請求項１ないし６の何れか一記載の情報記録方法。
【請求項８】
前記特定のデータパターンは、同期パターンである、ことを特徴とする請求項１ないし７の何れか一記載の情報記録方法。
【請求項９】
記録媒体上に半導体レーザから少なくともバイアスレベルとピークレベルとを含む２値以上のレーザパワーのレーザ光を照射することにより所定の記録変調方式に基づく記録マークとスペースとの組合せによる情報を記録する情報記録装置において、
前記半導体レーザの出力を制御するためにその出力状態をサンプリングするサンプルホールド手段と、
前記出力状態をサンプリングするサンプルホールド信号を特定のデータパターンが発生する期間を避けて発生させるサンプリング制御手段と、
を備えることを特徴とする情報記録装置。
【請求項１０】
前記サンプルホールド信号は、前記半導体レーザの出力状態のサンプリングとして、その発光パワーをサンプリングするための信号である、ことを特徴とする請求項９記載の情報記録装置。
【請求項１１】
前記サンプルホールド信号は、前記半導体レーザの出力状態のサンプリングとして、レーザ光照射により記録された前記記録媒体からの反射光量をサンプリングするための信号である、ことを特徴とする請求項９記載の情報記録装置。
【請求項１２】
前記サンプリング制御手段は、前記サンプルホールド信号を前記特定のデータパターンが発生してから所定時間経過後に発生させる、ことを特徴とする請求項９ないし１１の何れか一記載の情報記録装置。
【請求項１３】
前記特定のデータパターンの発生回数を計数する計数手段を備え、
前記サンプリング制御手段は、前記計数の結果、当該特定のデータパターンが所定回数以上発生した時点で、前記サンプルホールド信号を発生させる、ことを特徴とする請求項９ないし１１の何れか一記載の情報記録装置。
【請求項１４】
前記サンプリング制御手段は、前記サンプルホールド信号を発生させるタイミングが、対象となる記録データとは無関係なタイミングとなるように設定されている、ことを特徴とする請求項９ないし１３の何れか一記載の情報記録装置。
【請求項１５】
前記サンプリング制御手段は、前記サンプルホールド信号を発生させる期間が、前記所定の記録変調方式における最長データ長より長い期間に設定されている、ことを特徴とする請求項９ないし１４の何れか一記載の情報記録装置。
【請求項１６】
前記特定のデータパターンは、同期パターンである、ことを特徴とする請求項９ないし１５の何れか一記載の情報記録装置。
【発明の詳細な説明】
【技術分野】
【０００１】
本発明は、光ディスクなどの記録媒体上に半導体レーザからのレーザ光を照射して情報の記録を行う情報記録方法及び情報記録装置に関する。
【背景技術】
【０００２】
特許文献１によれば、光ディスクにマルチパルスを用いて記録を行っても、マークの形成状態を高感度に認識できるようにするため、マルチパルス波形を適宜単パルスに置き換えることで適正な反射光量を検出できるようにした技術が開示されている。
【０００３】
特許文献２によれば、半導体レーザの出射光量の検出帯域が限られた範囲であっても、正確にピークパワー、スペースパワーを制御して記録を行えるようにするため、レーザ駆動電流源を複数用意し、適宜電流源を切り換えることで発光波形を非パルスとするようにした技術が開示されている。
【０００４】
【特許文献１】特開２００２−１６３８２４公報
【特許文献２】特開２００１−０５６９５４公報
【発明の開示】
【発明が解決しようとする課題】
【０００５】
マルチメディアの普及に伴い音楽用ＣＤ，ＣＤ−ＲＯＭ，ＤＶＤ−ＲＯＭなどの再生専用メディア（記録媒体）や情報再生装置の他に、色素メディアを用いた追記型光ディスクや、相変化型メディアを用いた書き換え可能ディスクを用いた情報記録再生装置が実用化されている。
【０００６】
半導体レーザ（ＬＤ）を発光させて色素型メディアに情報を記録するための一般的な記録波形としては、例えば、図１１(ｃ)に示すような８−１６変調コードなどに基づいて生成した単パルスの発光波形があるが、この発光波形による単パルス記録では、畜熱のため記録マークが涙状に歪みを生じたりする不具合がある。このため、色素系メディアに情報を記録するためのＬＤ発光波形規則（ストラテジ）として、図１２(ｃ)に示すように、ＥＦＭ変調コードなどの記録データに基づいたマルチパルス波形のレーザ光により色素系メディアにマークを形成する方式が提案されている。また、記録線速の増大に伴い、レーザをマルチパルスで発光させることが困難になってきており、図４(ｃ)に示すような単パルス波形の一部にパワーを重畳させたパルス波形（「キャッスルストラテジ波形」と呼ぶことにする）でマークを形成する方式が提案されている。
【０００７】
このキャッスルストラテジ波形は、マークエッジを強調するため、パルスの前端と後端との各々に所定期間、ピークレベルから所定パワーを重畳させている(この期間のレベルを「ブーストレベル」と呼ぶことにする)。
【０００８】
色素系メディアや相変化メディアに記録を行う際には、半導体レーザの発光パワーの制御を正しく行うことが必要である。半導体レーザは自己発熱などにより駆動電流−発光パワー特性（Ｉ−Ｌ特性）が容易に変動してしまうので（図１３参照）、発光パワーを安定化させる手段として一般的にＡＰＣ（Automatic Power Control）制御が行われる。これは、ＬＤの出射光の一部をフォトディテクタ（ＰＤ）に入射させ、ＬＤの発光パワーに比例して発生するモニタ電流をＰＤにより検出し、このモニタ電流を用いてＬＤ駆動電流を制御するというものである。情報再生のみを考慮した場合は、一般的にＬＤ駆動電流はノイズ抑制のために高周波電流が重畳されるが、ＤＣ的には一定電流であるため、比較的低帯域の帰還ループを構成することで容易にＡＰＣを実現することができる。一方、記録時にＡＰＣを行う場合は、記録マーク／スペースを形成するために記録パワーが高速で変化するため、制御に工夫が必要がある。例えば、ＣＤ系やＤＶＤ系では記録データのＤＳＶ（Digital Sum Value）がゼロになることを利用して、低帯域の帰還ループを構成すれば、再生時と同様に簡易な構成で記録パワーを制御することができるが、正確なパワーを制御することはできない。
【０００９】
そこで、例えば、ＣＤ−Ｒメディアに図１１(ｃ)に示すようなストラテジで記録を行う場合には、例えば、最長データ長である１１Ｔの長さの記録マーク或いはスペースのデータが記録される際に記録マーク／スペース各々で発光パワーをサンプル／ホールドするようにすれば、ディスク回転数を４倍速程度に高速化した場合でも制御帯域は数ＭＨｚでよく、比較的安価な構成で正確な記録パワーを制御することができる。
【００１０】
また、一般的に記録動作中は、装置内の温度上昇等によるＬＤのレーザ波長変動やディスク記録感度の面内変動などで、最適な記録パワーが変化する。そこで、記録中に常に最適なパワーで記録を行うため、色素系メディアではいわゆるRunning−ＯＰＣといわれる動作が行われることがある。これは、記録中の反射光（ＲＦ信号）を検出して反射光のレベルに応じて記録パワーを修正していくものである。記録動作中は、マークデータを記録した個所はレーザが照射されたそばから反射率が低くなっていくので、ＲＦ信号は記録マークの先頭から後端に向かって徐々に低くなっていく（図１４参照）。そこで、ＲＦ信号を検出するには、ＲＦ信号のレベルがある程度整定する後端の所定の個所となるタイミングでサンプリングを行うようにすればよく、ＣＤ−Ｒメディアの場合は１１Ｔ長の記録マーク発光時にこのサンプリング動作を行えばよい。
【００１１】
しかし、色素系ＤＶＤメディアの高速記録で上述したキャッスルストラテジ波形を用いる場合、中央のピークレベル部分を正確にサンプルするには、単純なサンプル／ホールド回路では受光系やその後段の回路で非常に高速な制御帯域が必要になり、現実的でない。
【００１２】
この問題点を解決する方法として、特許文献１では、マルチパルス波形を適宜単パルスに置き換えるようにし、適正な反射光量を検出できるようにしている。
【００１３】
しかしながら、特許文献１の構成では、マルチパルス波形を適宜単パルスに置き換えるためにパルス生成部を２系統具備する必要があり、装置が複雑になってしまうという問題がある。また、このような構成の場合、１マークデータ分、など瞬間的にパルス波形を切り替えることは困難である。
【００１４】
これに対し、特許文献２では、前述したように、レーザ駆動電流源を複数用意し、適宜電流源を切り換えて発光波形を非パルスとすることで、わずかな回路構成の付加により、記録中の発光パワーを正確に制御することができる。
【００１５】
ここに、特許文献２では、サンプリングを確実に行うため、データ長が１４Ｔデータにて発光波形を非パルスとしている。しかしながら、１４Ｔデータはシンクパターン（同期パターン）であり、低頻度とはいえシンクパターンであるデータの波形を変更してしまうことにより記録品質を低下させるのは、記録情報の同期が不安定になるおそれがあり、望ましくない。
【００１６】
本発明は、サンプルホールド信号に影響されることなく、特定のデータパターンの検出を行わせることができるようにすることを目的とする。
【００１７】
より具体的には、本発明は、サンプルホールド信号に影響されることなく、より正確に記録情報の同期をとるようにして記録品質を安定させることを目的とする。
【課題を解決するための手段】
【００１８】
請求項１記載の発明は、記録媒体上に半導体レーザから少なくともバイアスレベルとピークレベルとを含む２値以上のレーザパワーのレーザ光を照射することにより所定の記録変調方式に基づく記録マークとスペースとの組合せによる情報を記録するようにした情報記録方法において、前記半導体レーザを制御するためにその出力状態をサンプリングするサンプルホールド信号を、特定のデータパターンが発生する期間を避けて発生させるようにした。
【００１９】
請求項２記載の発明は、請求項１記載の情報記録方法において、前記サンプルホールド信号は、前記半導体レーザの出力状態のサンプリングとして、その発光パワーをサンプリングするための信号である。
【００２０】
請求項３記載の発明は、請求項１記載の情報記録方法において、前記サンプルホールド信号は、前記半導体レーザの出力状態のサンプリングとして、レーザ光照射により記録された前記記録媒体からの反射光量をサンプリングするための信号である。
【００２１】
請求項４記載の発明は、請求項１ないし３の何れか一記載の情報記録方法において、前記サンプルホールド信号を、前記特定のデータパターンが発生してから所定時間経過後に発生させるようにした。
【００２２】
請求項５記載の発明は、請求項１ないし３の何れか一記載の情報記録方法において、前記特定のデータパターンの発生回数を計数し、計数の結果、当該特定のデータパターンが所定回数以上発生した時点で、前記サンプルホールド信号を発生させるようにした。
【００２３】
請求項６記載の発明は、請求項１ないし５の何れか一記載の情報記録方法において、前記サンプルホールド信号を発生させるタイミングは、対象となる記録データとは無関係なタイミングとなるように設定されている。
【００２４】
請求項７記載の発明は、請求項１ないし６の何れか一記載の情報記録方法において、前記サンプルホールド信号を発生させる期間は、前記所定の記録変調方式における最長データ長より長い期間に設定されている。
【００２５】
請求項８記載の発明は、請求項１ないし７の何れか一記載の情報記録方法において、前記特定のデータパターンは、同期パターンである。
【００２６】
請求項９記載の発明は、記録媒体上に半導体レーザから少なくともバイアスレベルとピークレベルとを含む２値以上のレーザパワーのレーザ光を照射することにより所定の記録変調方式に基づく記録マークとスペースとの組合せによる情報を記録する情報記録装置において、前記半導体レーザを制御するためにその出力状態をサンプリングするサンプルホールド手段と、前記出力状態をサンプリングするサンプルホールド信号を特定のデータパターンが発生する期間を避けて発生させるサンプリング制御手段と、を備える。
【００２７】
請求項１０記載の発明は、請求項９記載の情報記録装置において、前記サンプルホールド信号は、前記半導体レーザの出力状態のサンプリングとして、その発光パワーをサンプリングするための信号である。
【００２８】
請求項１１記載の発明は、請求項９記載の情報記録装置において、前記サンプルホールド信号は、前記半導体レーザの出力状態のサンプリングとして、レーザ光照射により記録された前記記録媒体からの反射光量をサンプリングするための信号である。
【００２９】
請求項１２記載の発明は、請求項９ないし１１の何れか一記載の情報記録装置において、前記サンプリング制御手段は、前記サンプルホールド信号を前記特定のデータパターンが発生してから所定時間経過後に発生させる。
【００３０】
請求項１３記載の発明は、請求項９ないし１１の何れか一記載の情報記録装置において、前記特定のデータパターンの発生回数を計数する計数手段を備え、前記サンプリング制御手段は、前記計数の結果、当該特定のデータパターンが所定回数以上発生した時点で、前記サンプルホールド信号を発生させる。
【００３１】
請求項１４記載の発明は、請求項９ないし１３の何れか一記載の情報記録装置において、前記サンプリング制御手段は、前記サンプルホールド信号を発生させるタイミングが、対象となる記録データとは無関係なタイミングとなるように設定されている。
【００３２】
請求項１５記載の発明は、請求項９ないし１４の何れか一記載の情報記録装置において、前記サンプリング制御手段は、前記サンプルホールド信号を発生させる期間が、前記所定の記録変調方式における最長データ長より長い期間に設定されている。
【００３３】
請求項１６記載の発明は、請求項９ないし１５の何れか一記載の情報記録装置において、前記特定のデータパターンは、同期パターンである。
【発明の効果】
【００３４】
請求項１〜３，９〜１１記載の発明によれば、半導体レーザを制御するためにその出力状態をサンプリングするサンプルホールド信号、例えば、発光パワーをサンプリングするサンプルホールド信号や記録媒体からの反射光量をサンプリングするサンプルホールド信号を、同期信号のような特定のデータパターンが発生する期間を避けて発生させるようにしたので、サンプルホールド信号に影響されることなく特定のデータパターンの検出を行わせることができ、例えば、同期信号の場合であれば、より正確に記録情報の同期をとるようにして記録品質を安定させることができる。
【００３５】
請求項４，１２記載の発明によれば、サンプルホールド信号は、同期信号のような特定のデータパターンが発生してから所定期間経過後に発生させるようにしたので、サンプルホールド信号に影響されることなく特定のデータパターンの検出を行わせることができ、例えば、同期信号の場合であれば、記録情報の同期を正確にとることができる。
【００３６】
請求項５，１３記載の発明によれば、同期信号のような特定のデータパターンの発生回数を計数し、所定回数以上発生したらサンプルホールド信号を発生させるようにしたので、ＣＰＵを介さずハードウエアで処理可能となり、ＣＰＵ処理の負荷を低減させることができる。
【００３７】
請求項６，１４記載の発明によれば、サンプルホールド信号が発生するタイミングは、本来の記録情報データとは無関係なタイミングとなるように設定したので、発光パワーレベルやＲＦ信号レベルの検出を低コストで正確に行うことができる。
【００３８】
請求項７，１５記載の発明によれば、サンプルホールド信号が発生する期間は、記録変調方式の最長データ長よりも長い期間であるように設定したので、発光パワーレベル、ＲＦ信号レベルの検出を低コストで正確に行うことができる。
【００３９】
請求項８，１６記載の発明によれば、特定のデータパターンが、同期パターンであるので、記録情報の同期を正確にとることができる。
【発明を実施するための最良の形態】
【００４０】
本発明を実施するための最良の形態について図面を参照して説明する。本実施の形態は、ＤＶＤフォーマットのコードデータを、色素系メディア（例えば、ＤＶＤ＋Ｒディスク）に記録（追記）する情報記録装置への適用例を示し、所定の記録変調方式として８−１６変調コードを用いてマークエッジ（ＰＷＭ：Ｐulse Ｗidth Ｍodulation）記録を行うものとする。本実施の形態では、このようなメディアと記録データとを用いて、記録に際して所定の発光規則によりレーザ光源としての半導体レーザをキャッスルストラテジ波形に従い発光させて記録マーク／スペースを記録するものである。
【００４１】
図１は、本実施の形態の記録再生可能な情報記録装置の基本的な全体構成例を示す構成図である。本実施の形態の情報記録装置１においては、スピンドルモータ（図示せず）により回転駆動される例えばＤＶＤ＋Ｒによる記録媒体２に対して再生動作又は記録動作のために照射するレーザ光を発する半導体レーザ（ＬＤ）３が設けられている。この半導体レーザ３から発せられたレーザ光はコリメータレンズ４により平行光束に変換された後、偏光ビームスプリッタ５、λ／４板６及び対物レンズ７を経て記録媒体２上に集光照射される。記録媒体２から反射された戻り光は再び対物レンズ７及びλ／４板６を経て偏光方向が９０°回転されて再び偏光ビームスプリッタ５に入射することにより、入射光と分離されるように反射されて、検出レンズ８により受光領域が４分割された分割受光素子（ＰＤ）９に入射して受光される。この分割受光素子９により受光された各分割領域の受光信号は情報信号となるＲＦ信号、フォーカシング用のサーボ信号Ｆｏ及びトラッキング用のサーボ信号Ｔｒの基となるもので、ＲＦ信号はＲＦ信号復調回路１０に入力されて再生信号としての再生データの出力に供される。一方、フォーカシング用のサーボ信号Ｆｏ及びトラッキング用のサーボ信号Ｔｒは、Ｆｏ／Ｔｒサーボ制御装置１１に入力されて対物レンズ７に対するフォーカシング／トラッキング用のアクチュエータ１２のサーボ制御に供され、記録媒体２に対するレーザ光が合焦状態で正しくトラック上をトラッキングするように制御される。
【００４２】
一方、ＲＦ信号復調回路１０からの再生データを取り込むとともに、各種の演算処理及び制御処理を実行し演算手段として機能するＣＰＵ１３が設けられている。このＣＰＵ１３には再生データや記録データ、その他の信号の授受を行うホスト１４が接続されている。このＣＰＵ１３には制御信号や記録データに基づき半導体レーザ３の発光パワーや発光状態等を制御するＬＤパワー制御装置１５が接続されている。また、半導体レーザ３から出射されて偏光ビームスプリッタ５によりその一部が反射されて分岐されたモニタ光を集光レンズ１６を介して受光しその発光パワーに対応した電流をモニタ信号としてＣＰＵ１３に出力するモニタ素子としての前方フォトディテクタ（ＰＤ）１７が設けられている。さらに、分割受光素子９から出力されるＲＦ信号のピークレベルを検出するためのＲＦ信号レベル検出回路（Running−ＯＰＣ用のサンプルホールド手段）２６が設けられ、ＲＦピークレベル信号がＣＰＵ１３に供される。
【００４３】
図２は、このような基本構成におけるＬＤパワー制御装置１５の構成例を示すブロック図である。まず、半導体レーザ３を実際に駆動させるための駆動電流を流すＬＤ駆動装置１８が設けられている。ここに、情報記録時は、図４（ｃ）に示すようなキャッスルストラテジ波形で記録マークを形成するためのピークパワーＰｂ、ピークパワーＰｂに対しそのパルスの前端・後端パワーをブーストするためのブーストパワーＰｂｓｔ、バイアスパワー（ボトムパワー）Ｐｂの３種類の記録パワーが必要となる。このため、ＬＤ駆動装置１８の前段側にはその駆動電流をＣＰＵ１３に基づき各々制御するピークレベル電流駆動装置１９、ブーストレベル電流駆動装置２０、バイアスレベル電流駆動装置２１が設けられている。
【００４４】
バイアスレベル電流駆動装置２１は、ＬＤ駆動装置１８に対してバイアスレベル駆動電流信号を出力する。ピークレベル電流駆動装置１９は具体的にはＤ／Ａコンバータ構成であり、ＣＰＵ１３によりデジタル的に設定されたＬＤ駆動電流情報に基づきアナログ信号であるピークレベル重畳電流信号をＬＤ駆動装置１８に対して出力する。ブーストレベル電流駆動装置２０は後述するような回路構成によりＬＤ駆動装置１８に対してバイアスレベル電流に重畳すべきブーストレベル重畳電流信号を出力する。
【００４５】
また、フォトディテクタ１７から出力されるパワーモニタ電流を電圧信号に変換するＩ／Ｖ変換回路２２が設けられ、この電圧信号はピークレベルの発光パワーがサンプルホールド回路（発光パワー用のサンプルホールド手段）２３によりサンプリングされ、Ａ／Ｄコンバータ２４によりデジタル化されて、ＣＰＵ１３に出力される。
【００４６】
図３は、ブーストレベル電流駆動装置２０の構成例を示すブロック図である。ブーストレベル電流駆動装置２０は、図３に示すようブーストレベル電流切替手段としての２つのＤ／Ａコンバータ３１，３２とスイッチ３３とにより構成されている。ブーストレベル切替装置２５から出力されるブースピークレベル切替信号に基づきスイッチ３３により選択されたＤ／Ａコンバータ３１，３２よりＬＤ駆動装置１８に対してブーストレベル重畳電流が出力される。一方のＤ／Ａコンバータ３１はＣＰＵ１３からの通常ブーストレベル制御信号によりブーストレベルが通常ブーストレベルＰｂｓｔとなるように設定され、通常のキャッスルストラテジ波形による発光を行っている場合はブーストレベル切替信号によりスイッチ３３はＬレベル側（Ｄ／Ａコンバータ３１側選択）に設定されている。他方のＤ／Ａコンバータ３２はＣＰＵ１３からの単パルス発生時ブーストレベル制御信号によりブーストレベルが後述する所定のブーストレベル（実際には、Ｐｂｓｔ＝０とする）となるように設定され、ブーストレベル切替信号によりスイッチ３３がＨレベル側（Ｄ／Ａコンバータ３２側選択）に切り替えられた場合に設定されている。
【００４７】
このような構成において、まず、記録時における通常パルス波形動作について説明する。ＣＰＵ１３から出力されるブーストレベル制御信号（通常又は単パルス発生時）／ピークレベル制御信号によりブーストレベル電流駆動装置２０、ピークレベル電流駆動装置１９の出力電流が各々設定される。ピークレベル電流駆動装置１９は、ＣＰＵ１３によりデジタル的に設定されたＬＤ駆動電流情報を基にアナログ信号であるピークレベル重畳電流信号をＬＤ駆動装置１８に出力する。ブーストレベル電流駆動装置２０は、ブーストレベル重畳電流をＬＤ駆動装置１８に出力する。バイアスレベル電流駆動装置２１はバイアスレベル駆動電流信号をＬＤ駆動装置１８に出力する。
【００４８】
ＬＤ駆動装置１８では、バイアスレベル駆動電流信号、ピークレベル重畳電流信号、ブーストレベル重畳電流信号に応じてバイアスパワー（ボトムパワー）Ｐｂ／ピークパワーＰｐ／ブーストパワーＰｂｓｔの駆動電流量を決定する。
【００４９】
図４は、キャッスルストラテジ発光方式による記録期間中の発光波形例を示すタイミングチャートである。ＣＰＵ１３は、記録する情報を図４（ａ）に示すような周期Ｔのチャンネルクロックに応じて、図４（ｂ）に示すような８−１６変調信号に変換し、さらに図４（ｃ）に示すようなキャッスルストラテジ発光波形を生成し、その波形に応じてピークパワーイネーブル信号及びブーストパワーイネーブル信号をＬＤ駆動装置１８に供給する。ＬＤ駆動装置１８ではこれらのブーストパワーイネーブル信号及びピークパワーイネーブル信号が“Ｈ”レベルのときに対応する各レベルの重畳電流信号をバイアスレベル駆動電流信号に適宜重畳して半導体レーザ３に駆動電流を供給する。
【００５０】
図５は、ＡＰＣ動作に関するより具体的なキャッスルストラテジ発光方式の動作例を示すタイミングチャートである。即ち、具体的には、ブーストレベルで発光する場合は、図５（ｃ）に示すように、ブーストパワーイネーブル信号が“Ｈ”レベルになり、ＬＤ駆動装置１８はバイアスレベル駆動電流信号にブーストレベル重畳電流信号を重畳して半導体レーザ３の駆動電流とする。ピークレベルで発光する場合は、図５（ｂ）に示すようにピークパワーイネーブル信号を“Ｈ”レベルとし、ＬＤ駆動装置１８はバイアスレベル駆動電流信号にピークレベル重畳電流信号を重畳して半導体レーザ３の駆動電流とする。
【００５１】
ＬＤ駆動装置１８より半導体レーザ３に駆動電流が供給されると、半導体レーザ３からレーザが出射されて記録媒体２を照射し、情報の記録を行う。その際、出射光の一部がフォトディテクタ１７に入射され、発光パワーに比例したパワーモニタ電流がＩ／Ｖ変換回路２２に出力される。Ｉ／Ｖ変換回路２２により電流−電圧変換されたパワーモニタ信号を利用することで、発光パワーのレベルの検出を行うことができる。
【００５２】
上述したように、キャッスルストラテジ波形は図４(ｃ)に示すようにピークレベルが複数種類あるため、通常のサンプルホールド回路でピークレベルのサンプルを行おうとした場合、両端のブーストレベルを避けて中央のピークレベルをサンプルする必要があるが、記録線速度が高速になると、正確に中央のレベルをサンプルすることが困難になる。そこで、ピークレベルのサンプリングを行う場合、図５中の右側の「単パルス出力時」に示すように、一瞬だけ発光波形を単パルス化し、そのタイミングでピークレベルをサンプルホールドするようにする。具体的には、ブーストレベルＰｂｓｔがピークレベルＰｂと同じレベルになるようにする。
【００５３】
この動作の目的は、２つある。１つはＬＤ発光レベルを設定レベルに保つＡＰＣであり、他の１つは、メディアへの記録品質を一定に保つRunning−ＯＰＣである。
【００５４】
ＣＰＵ１３は、まず、単パルス出力時ブーストレベル制御信号により、半導体レーザ３がピークレベルＰｐで発光するようにブーストレベル電流駆動装置２０中のＤ／Ａコンバータ３２を設定しておく。この状態で、一定期間（後述）、ブーストレベル切替装置２５はブーストレベル切替信号を“Ｈ”レベルにしてブーストレベルの重畳電流がＤ／Ａコンバータ３２出力となるようにスイッチ３３を切り替える。と同時に、ＣＰＵ１３は、ＲＦ信号サンプルホールド信号をＨにする。すると、このマークデータが出現している期間中、Ｐｂｓｔ＝Ｐｐとなり、半導体レーザ３が一定レベルＰｐの単パルス波形で発光する。この期間の後半で、図５中に示すようにＲＦ信号サンプルホールド信号をＬにし、ピークレベルＰｐを検出する。ＣＰＵ１３では、この検出されたピークレベルが、設定したピークレベルを保持するようピークレベル制御信号を更新する。この動作を所定期間周期（ＡＰＣ制御周期）で繰り返し行うことで、Ｉ−Ｌ特性の変化に追従して記録動作中のＬＤ発光レベルを一定に保つことができる。
【００５５】
このようなＬＤ３の発光パワーに関するサンプリング動作制御に関して、本実施の形態では、ブーストレベルを切り替える期間（即ち、サンプルホールド信号が発生する期間）は、８−１６変調方式の最長データ長である１４Ｔより長い期間（例えば、図５中に示すように３０Ｔ）に設定され、かつ、ブーストレベル切替信号を発生させるタイミング（即ち、サンプルホールド信号を発生させるタイミング）は、記録対象となる本来の記録データとは無関係のタイミングとなるように設定されている。こうすることで、ＬＤ３の発光パワーに関するサンプリング期間を十分に確保することができ、記録線速度が増大しても安定して発光パワーのサンプリングを行うことができる。また、ブーストレベル切替信号の発生頻度を十分低くしておけば、サンプリングを行った個所に記録エラーが発生したとしてもエラー訂正が働き、記録品質に殆ど影響を与えない。
【００５６】
図６は、シンクパターン（同期パターン）との関係でブーストレベル切替信号を発生させるタイミング例を示すタイミングチャートである。本実施の形態では、ブーストレベル切り替え信号（従って、サンプルホールド信号）を発生させるタイミングは、図６に示すように特定のデータパターンである記録データのシンクパターン（同期パターン）が発生する期間を避けて発生するようなタイミングに設定されている。ここに、ＣＰＵ１３がサンプリング制御手段の機能を実現している。記録変調方式が８−１６変調の場合、シンクパターンは最長の１４Ｔ長データを含む計３２Ｔ長データの組合せで、１４８８Ｔ毎に発生し、記録データの同期をとっている。このシンクパターンなるデータパターン発生時にブーストレベルを切り替えて通常と異なる発光波形とすると、シンクパターンの記録品質が低下し、記録状態の信頼性が損なわれる可能性がある。そこで、本実施の形態では、このシンクパターンが発生する時には、ブーストレベル切り替え信号を発生させない（従って、サンプルホールド信号も発生させない）ようにしているので、シンクパターンの記録品質を維持し、記録データの同期を確実にとることができる。
【００５７】
この際、記録データ列に対してブーストレベル切替信号の発生頻度を十分低くしておけば、サンプリングを行った個所の記録データが欠損しても、エラー訂正が働くので、記録品質に殆ど影響を与えない。
【００５８】
ＡＰＣ制御周期（ブーストレベル切り替え信号の発生周期）は、上述したようにエラー訂正が十分働く頻度で、ＬＤ３のＩ−Ｌ特性の変化に追従できる程度の頻度を実験的に求めておく。ブーストレベル切替信号を発生させるトリガは、ＣＰＵ１３が所定期間をカウントして定期的に発生させることもできるが、本実施の形態では、シンクパターンの発生回数を計数するカウンタ（図示せず）が計数手段として設けられ、図７に示すように、シンクパターンをカウントし、その計数結果として、所定回数以上シンクパターンが発生したらその時点でブーストレベル切替信号を発生させるように構成されている。このような構成によれば、ＣＰＵ１３を介さずともハードウエアによりブーストレベル切替信号を発生させることができるので、ＣＰＵ１３の処理負荷を低減させることができる。
【００５９】
なお、ブーストレベル切替信号（従って、サンプルホールド信号）を発生させるタイミング制御例としては、図８に示すように、シンクパターンが発生して所定期間経過後に、ブーストレベル切替信号（従って、サンプルホールド信号）を発生させるようにしてもよい。このような制御によれば、シンクパターン発生期間とブーストレベル切替期間とが十分分離されることとなり、より確実に記録データの同期を行うことが可能となる。
【００６０】
一方、Running−ＯＰＣ動作で記録媒体２からの反射光量をサンプリングしてＲＦ信号のピークレベルを検出するため、上述のＡＰＣ制御周期とは異なる周期ではあるが、ＡＰＣ制御の場合と同様に単パルス発光動作を行う。
【００６１】
図９は、Running−ＯＰＣ動作に関するより具体的なキャッスルストラテジ発光方式の動作例を示すタイミングチャートである。即ち、図９（ｅ）に示すように、一定期間、ＣＰＵ１３はブーストレベル切替信号を“Ｈ”レベルにしてブーストレベルの重畳電流がＤ／Ａコンバータ３２出力となるようにスイッチ３３を切り替えると同時に、図９（ｆ）に示すように反射光サンプルホールド信号をＨにする。この期間の後半で、反射光サンプリング信号をＬレベルに切り替え、ＲＦ信号レベル検出回路２６によりＲＦ信号のピークレベルを検出する。ＣＰＵ１３は、検出されたＲＦピークレベル検出信号に基づきＲＦピークレベルが一定レベルとなるとなるよう、ピークレベルの設定パワーを更新する。
【００６２】
この場合のブーストレベル切替信号（従って、サンプルホールド信号）を発生させるタイミング、発生させる期間等は、上述のＡＰＣ動作時と同様であり（図６〜図９等参照）、何れにしても、シンクパターン（同期パターン）が発生する期間を避けて発生するようなタイミングに設定されている。
【００６３】
図１０は、ＡＰＣ制御周期とRunning−ＯＰＣ制御周期との関係を示すタイミングチャートである。ＡＰＣ制御周期とRunning−ＯＰＣ制御周期とは独立した周期で設定されるが、これらの周期間隔は、頻度に差があることが望ましい。これは、ＡＰＣ動作が、設定された発光パワーを維持するよう作用するのに対し、Running−ＯＰＣ動作は、設定パワーそのものを更新するためのものであるので、両者が同程度の頻度で行われると、一方の制御が他方の制御に干渉し、制御が破綻する恐れがあるためである。よって、本実施の形態では、例えば、図１０に示すように、ＡＰＣ制御周期はRunning−ＯＰＣ制御周期の１／１０程度に設定される。このような制御方式によれば、Running−ＯＰＣに比べてＡＰＣ制御が十分高頻度で行われているため、設定パワーに対するレーザパワーは安定的に制御され、その上で、Running−ＯＰＣにより設定パワーを更新するようになり、両制御を良好に両立させることができる。
【図面の簡単な説明】
【００６４】
【図１】本発明の一実施の形態の記録再生可能な情報記録装置の基本的な全体構成例を示す構成図である。
【図２】ＬＤパワー制御装置の構成例を示すブロック図である。
【図３】ブーストレベル電流駆動装置の構成例を示すブロック図である。
【図４】キャッスルストラテジ発光方式による記録期間中の発光波形例を示すタイミングチャートである。
【図５】ＡＰＣ動作に関するより具体的なキャッスルストラテジ発光方式の動作例を示すタイミングチャートである。
【図６】シンクパターン（同期パターン）との関係でブーストレベル切替信号を発生させるタイミング例を示すタイミングチャートである。
【図７】シンクパターン（同期パターン）との関係でブーストレベル切替信号を発生させるタイミング例の変形例を示すタイミングチャートである。
【図８】シンクパターン（同期パターン）との関係でブーストレベル切替信号を発生させるタイミング例の他の変形例を示すタイミングチャートである。
【図９】Running−ＯＰＣ動作に関するより具体的なキャッスルストラテジ発光方式の動作例を示すタイミングチャートである。
【図１０】ＡＰＣ制御周期とRunning−ＯＰＣ制御周期との関係を示すタイミングチャートである。
【図１１】色素型メディアに情報を記録するための一般的な記録波形例を示すタイミングチャートである。
【図１２】色素系メディアに情報を記録するためのマルチパルス発光波形規則による記録波形例を示すタイミングチャートである。
【図１３】半導体レーザの駆動電流−発光パワー特性図である。
【図１４】発光波形と反射光レベルとの関係を示す説明図である。
【符号の説明】
【００６５】
２      記録媒体
３      半導体レーザ
１３      サンプリング制御手段
２３，２６      サンプルホールド手段
【図１】
2006127617.tif 000003
【図２】
2006127617.tif 000004
【図３】
2006127617.tif 000005
【図４】
2006127617.tif 000006
【図５】
2006127617.tif 000007
【図６】
2006127617.tif 000008
【図７】
2006127617.tif 000009
【図８】
2006127617.tif 000010
【図９】
2006127617.tif 000011
【図１０】
2006127617.tif 000012
【図１１】
2006127617.tif 000013
【図１２】
2006127617.tif 000014
【図１３】
2006127617.tif 000015
【図１４】
2006127617.tif 000016